(57)【要約】【課題】１セットのブロックを全て使って複数の異なる完成体を選択的に組み立てることができる立体パズルを提供する。【解決手段】複数のブロックからなる立体パズルであって、複数のブロックを全て使って、第１の平行六面体１０と、第２の平行六面体４０が分断されてなる複数個の平行六面体４０１、４０２とが選択的に組み立て可能な立体パズルを提供する。このとき、第１の平行六面体１０と第２の平行六面体４０は、そのいずれの平行六面体の表面も他の平行六面体の内部に隠れるように互いに等積変形してなるものとする。【選択図】図８
2014198073.tif 000002
【特許請求の範囲】
【請求項１】
複数のブロックからなる立体パズルであって、
前記複数のブロックを全て使って、第１の平行六面体と、第２の平行六面体が分断されてなる複数個の平行六面体とが選択的に組み立て可能であり、
前記第１の平行六面体と前記第２の平行六面体が、そのいずれの平行六面体の表面も他の平行六面体の内部に隠れるように互いに等積変形してなるものであることを特徴とする立体パズル。
【請求項２】
前記組み立て可能な平行六面体ごとに表面に異なる模様および／または色彩が現われるように前記複数のブロックの表面の少なくとも一部に模様および／または色彩が施されていることを特徴とする請求項１記載の立体パズル。
【請求項３】
前記複数のブロックの全ての面が前記組み立て可能ないずれかの平行六面体の表面を構成することを特徴とする請求項１または２記載の立体パズル。
【請求項４】
前記組み立て可能な平行六面体の６面全ての表面に、それぞれ１つのまとまった模様が現われるように前記複数のブロックの各表面の少なくとも一部に模様が施されていることを特徴とする請求項３記載の立体パズル。
【請求項５】
前記組み立て可能な全ての平行六面体が互に相似形であることを特徴とする請求項１から４のいずれか１項記載の立体パズル。
【請求項６】
前記組み立て可能な全ての平行六面体が正六面体であることを特徴とする請求項１から５のいずれか１項記載の立体パズル。
【請求項７】
前記各ブロックの体積がそれぞれ前記第１の平行六面体の体積の０.２％以上であり、前記複数のブロックの各面の面積がそれぞれ前記第１の平行六面体の一面の面積の０.５％以上であることを特徴とする請求項６記載の立体パズル。
【請求項８】
請求項６または７記載の立体パズルを収容するためのケースであって、
前記組み立て可能な少なくとも１つの平行六面体のそれぞれに対応して、該平行六面体ごとに２つのケース部材からなるケースセットを有し、
該各ケースセットを構成する前記２つのケース部材がそれぞれ対応する平行六面体における互いに隣接する３面を覆うように互いに直交して連接するように構成された３つの透明な４角形の壁体を有し、前記２つのケース部品を組み合わせることにより、内部に前記対応する平行六面体を収容し得る空間を形成することを特徴とするケース。
【請求項９】
複数のブロックからなる立体パズルであって、
前記複数のブロックを全て使って、第１の平行六面体と、第２の平行六面体が分断されてなる複数個の平行六面体と、第３の平行六面体が分断されてなる複数個の平行六面体とが選択的に組み立て可能であり、
前記第１の平行六面体と前記第２の平行六面体と前記第３の平行六面体とが、そのいずれの平行六面体の表面も他の平行六面体の内部に隠れるように互に等積変形してなるものであることを特徴とする立体パズル。
【請求項１０】
前記第２の平行六面体と前記第３の平行六面体が、互いに異なる数の平行六面体に分断されたものであることを特徴とする請求項９記載の立体パズル。
【発明の詳細な説明】
【技術分野】
【０００１】
本発明は、複数のブロックからなる立体パズル、特に全ての小ブロックを組み合わせて異なる数の立体を選択的に組み立てることができる立体パズルに関するものである。
【背景技術】
【０００２】
従来、複数のブロックを組み立てて完成させる立体パズルが知られている。たとえば、特許文献１には、３種類の合計１７個の直方体ブロックを使って１つの大きな立方体を組み立てる立体パズルが提案されている。
【先行技術文献】
【特許文献】
【０００３】
【特許文献１】特開２００２−２２４４２８号公報
【発明の概要】
【発明が解決しようとする課題】
【０００４】
しかしながら、上記従来の立体パズルは、１セットのブロックで組み立て可能な完成体が１つしかなく、面白味に欠けるという問題点がある。
【０００５】
本発明は、上記事情に鑑み、１セットのブロックを全て使って複数の異なる完成体を選択的に組み立てることができる立体パズル、例えば全てのブロックを使い切って、１つの大きい立方体と、２つの小さい立方体のいずれかを選択的に組み立てることができる立体パズルを提供することを目的とするものである。
【課題を解決するための手段】
【０００６】
本発明の第１の立体パズルは、複数のブロックからなる立体パズルであって、複数のブロックを全て使って、第１の平行六面体と、第２の平行六面体が分断されてなる複数個の平行六面体とが選択的に組み立て可能であり、第１の平行六面体と第２の平行六面体が、そのいずれの平行六面体の表面も他の平行六面体の内部に隠れるように互いに等積変形してなるものであることを特徴とする。
【０００７】
ここで、平行六面体の等積変形について説明する。平行六面体は、１つの切断平面または互いに平行な２以上の切断平面によりその平行六面体を複数の部分に切断し、切断されてなる複数の部分を組み替えることにより、切断面（切断により新たに生成された面）が変形後の平行六面体の表面に現れ、変形前の平行六面体の対向する３組の表面のうち１組の表面が変形後の平行六面体の内部に隠れてなる同じ体積の別の形の平行六面体に変形することができる。すなわち、等積変形することができる。このとき、変形後の平行六面体の形は、上記切断に用いる平面の傾きに依存して変化する。
【０００８】
たとえば、図1に示すように、平行六面体１０を切断平面２１により２つの部分１１ａ、１１ｂに切断し、それらの部分１１ａ、１１ｂを組み替えることにより、同じ体積の別の形の平行六面体３１に変形でき、図２に示すように、平行六面体１０を切断平面２２により２つの部分１２ａ、１２ｂに切断し、それらの部分１２ａ、１２ｂを組み替えることにより、同じ体積の別の形の平行六面体３２に変形できる。また、図３に示すように、平行六面体１０を互いに平行な２つの切断平面２３により３つの部品１３ａ〜１３ｃに切断し、それらの部分１３ａ〜１３ｃを組み替えることにより、同じ体積の別の形の平行六面体３３にも変形できる。この図１、図２および図３のいずれの場合においても、切断面（図中、斜線で示す）は変形後の平行六面体３１〜３３の表面に現れ、変形前の平行六面体１０の対向する１組の表面Ｍ１１（図２ではＭ２１）は変形後の平行六面体３１〜３３の内部に隠れることとなる。また、変形前の平行六面体１０の対向する残り２組の表面はそれぞれ同じ面積の別の形の平行四辺形に変形して、変形後の平行六面体３１〜３３においても引き続き表面を構成することとなる。
【０００９】
このような平行六面体の等積変形の性質により、平行六面体は、計３回の上述のような切断および組み替えの処理を繰返すことによって、その平行六面体の対向する３組の表面が全て内部に隠れてなる同じ体積の他のいかなる形の平行六面体に変形できる。たとえば、図４の左図に示す平行六面体１０は、以下に説明するような計３回の切断および組み替えの処理を行うことにより、図４の右図に示す同じ体積の別の形の平行六面体４０に変形できる。
【００１０】
まず、第１回目の切断および組み替えの処理において、図５に示すように、１つの平面であって、「その平面により平行六面体１０を切断した場合その切断された面Ｓ２４の総面積が平行六面体４０の第１の面Ｓ４１の面積と同じとなる」という条件を満たす平面（１つの平面または互いに平行な２以上の平面）のいずれかを切断平面２４とする。なお、この条件を満たす平面は無数に存在するので、その中のどの平面を切断平面２４とするかは任意に選択することができる。そして、切断平面２４により平行六面体１０を複数の部分１４ａ、１４ｂに切断し、それらの部分１４ａ、１４ｂを図５の右図に示すように組み替えることによって、平行六面体１０を平行六面体３４に変形させる。このとき、平行六面体１０の対向する１組の表面Ｍ１１は変形後の平行六面体３４の内部に隠れ、残り２組の表面はＭ２１、Ｍ３１はそれぞれ同じ面積の別の形の平行四辺形に変形して、変形後の平行六面体３４おいても引き続き表面を構成することとなる。
【００１１】
次に、第２回目の切断および組み替えの処理において、図６示すように、１つの平面であって、「その平面により平行六面体３４を切断した場合その切断された面Ｓ２５の総面積が平行六面体２６の第２の面Ｓ４２の面積と同じとなり、かつ、その平面と平行六面体３４の上記第１回目の処理の切断面により構成された１つの面Ｍ１２との交線Ｌ３１の長さが平行六面体４０の第１の面Ｓ４１と第２の面Ｓ４２をつなぐ第１の辺Ｌ４１の長さと同じとなる」と言う条件を満たす平面（１つの平面または互いに平行な２以上の平面）のいずれかを切断平面２５とする。なお、この条件を満たす平面も無数に存在するので、その中のどの平面を切断平面２５とするかは任意に選択することができる。そして、切断平面２５により平行六面体３４を複数の部分１５ａ、１５ｂに切断し、それらの部分１５ａ、１５ｂを図６の右図に示すように組み替えることによって、平行六面体３４を平行六面体３５に変形させる。このとき、平行六面体１０の対向する１組の表面Ｍ２１が変形して構成された、平行六面体３４の対向する１組の表面Ｍ２２は、変形後の平行六面体３５の内部に隠れることとなる。
【００１２】
最後に、第３回目の切断および組み替えの処理において、図７に示すように、１つの平面であって、「その平面と平行六面体２５の上記第１回目の処理における切断面により構成された１つの面Ｍ１３との交線Ｌ３２の長さが平行六面体４０の第１の面Ｓ４１と第３の面Ｓ４３をつなぐ第２の辺Ｌ４２の長さと同じとなり、かつ、その平面と平行六面体３５の上記第２回目の処理の切断面により構成された１つの面Ｍ２３との交線Ｌ３３の長さが平行六面体４０の第２の面Ｓ４２と第３の面Ｓ４３をつなぐ第３の辺Ｌ４３の長さと同じとなる」という条件を満たす平面（１つの平面または互いに平行な２以上の平面）のいずれかを切断平面２６とする。なお、この条件を満たす平面も無数に存在するので、その中のどの平面を切断平面２６とするかは任意に選択することができる。そして、その切断平面２６により平行六面体３５を複数の部分１６ａ、１６ｂに切断し、それらの部分１６ａ、１６ｂを図７の右図に示すように組み替えることによって、平行六面体３５を最終目的の平行六面体４０に変形させる。このとき、平行六面体１０の対向する１組の表面Ｍ３１が変形して構成された、平行六面体３５の対向する１組の表面Ｍ３３は、変形後の平行六面体４０の内部に隠れることとなる。
【００１３】
以上のような全３回の切断および組み替えの処理により、平行六面体１０は、その平行六面体１０の全ての表面Ｍ１１〜Ｍ３１が内部に隠れてなる同じ体積の別の形の平行六面体４０に変形できる。また、平行六面体４０も、上記変形処理を逆に辿ることによって、その平行六面体４０の全ての表面が内部に隠れてなる同じ体積の別の形の平行六面体１０に変形できる。これにより、平行六面体１０と平行六面体４０は、そのいずれの平行六面体の表面も他の平行六面体の内部に隠れるように互いに等積変形してなるものであると言える。
【００１４】
そこで、本発明の第１の立体パズルの一例として、たとえば図８に示すような、複数のブロックを使って平行六面体１０（第１の平行六面体）と、平行六面体４０（第２の平行六面体）が分断されてなる２つの平行六面体４０１、４０２とが選択的に組み立て可能な立体パズルが考えられる。
【００１５】
なお、このとき、立体のパズルを構成する複数のブロックは、たとえば平行六面体１０（第１の完成体）のブロック材料を用意し、そのブロック材料を等積変形および分断により２つの平行六面体４０１、４０２（第２の完成体）に変形する過程で必要な切断を行なっていくことによって作成することができる。もちろん、それと同等の寸法・形状の複数のブロックが作成できれば、原材料や加工方法はいかなるものであってもよい。
【００１６】
上記第１の立体パズルは、組み立て可能な平行六面体ごとに表面に異なる模様および／または色彩が現われるように複数のブロックの表面の少なくとも一部に模様および／または色彩が施されているものであってもよい。
【００１７】
また、上記第１の立体パズルは、複数のブロックの全ての面が組み立て可能ないずれかの平行六面体の表面を構成するものであってもよい。
【００１８】
また、上記第１の立体パズルは、組み立て可能な平行六面体の全ての表面に、それぞれ１つのまとまった模様が現われるように複数のブロックの各表面の少なくとも一部に模様が施されているものであってもよい。
【００１９】
また、上記第１の立体パズルにおいて、組み立て可能な全ての平行六面体は互に相似形であってもよいし、組み立て可能な全ての平行六面体は正六面体であってもよい。
【００２０】
また、上記第１の立体パズルにおいて、組み立て可能な全ての平行六面体が正六面体である場合、各ブロックの体積はそれぞれ第１の平行六面体の体積の０.２％以上であり、複数のブロックの各面の面積はそれぞれ第１の平行六面体の一面の面積の０.５％以上であることが望ましい。これらの体積や面積がそれ以上小さいと、立体パズル全体を手ごろな大きさにしたとき、ブロックを組み立てるときの取り扱いが困難になったり、ブロック表面に模様を施したときの模様を認識するのが困難になったりして、パズルとしての面白味に欠けるおそれがある。
【００２１】
本発明のケースは、上記第１の立体パズルを収容するためのケースであって、組み立て可能な少なくとも１つの平行六面体のそれぞれに対応して、その平行六面体ごとに２つのケース部材からなるケースセットを有し、各ケースセットを構成する２つのケース部材がそれぞれ対応する平行六面体における互いに隣接する３面を覆うように互いに直交して連接するように構成された３つの透明な４角形の壁体を有し、２つのケース部品を組み合わせることにより、内部に対応する平行六面体を収容し得る空間を形成することを特徴とする。
【００２２】
本発明の第２の立体パズルは、複数のブロックからなる立体パズルであって、複数のブロックを全て使って、第１の平行六面体と、第２の平行六面体が分断されてなる複数個の平行六面体と、第３の平行六面体が分断されてなる複数個の平行六面体とが選択的に組み立て可能であり、第１の平行六面体と第２の平行六面体と第３の平行六面体とが、そのいずれの平行六面体の表面も他の平行六面体の内部に隠れるように互に等積変形してなるものであることを特徴とする。例えば、全てのブロックを使い切って、１つの大きい立方体と、２つの小さい立方体と、３つのさらに小さい立方体のいずれかを選択的に組み立てることができ、それら３種の立体の表面に現れる面がいずれも全て異なるようにすることができることを特徴とするパズルである。したがって、例えば、それらの立方体の表面に写真や模様を施したとき、それら３種の立方体には全く異なる３種の写真あるいは模様を表すようにすることができるものである。
【００２３】
なお、上記第２の立体パズルにおいて、第２の平行六面体と第３の平行六面体は、互いに異なる数（例えば上記２個と３個）でも同じ数（例えば２個と２個）の平行六面体に分断されたものであってもよい。
【発明の効果】
【００２４】
本発明の第１の立体パズルによれば、立体パズルを構成する複数のブロックを全て使って、第１の平行六面体と、第２の平行六面体が分断されてなる複数個の平行六面体とを選択的に組み立てること、すなわち２つの異なる完成体を選択的に組み立て可能にすることで、利用者に、複数のブロックをばらばらにした状態から２つの異なる完成体のうちの１つを選択して組み立てたり、一旦組み立てたものを他の完成体に組み替えたりする楽しみを与えることができる。
【００２５】
上記第１の立体パズルは、第１の平行六面体と第２の平行六面体が、そのいずれの平行六面体の表面も他の平行六面体の内部に隠れるように互いに等積変形してなるものであることにより、組み立て可能な全ての平行六面体の表面はいずれも他の組立可能な平行六面体の内部に隠れることとなる。従って、上記第１の立体パズルにおいては、組み立て可能な平行六面体ごとに表面に異なる模様および／または色彩が現われるように複数のブロックの表面の少なくとも一部に模様および／または色彩を施すことが可能である。そこで、複数のブロックの表面にそのような模様および／または色彩を施した場合には、利用者は、各ブロックの表面に施されている模様および／または色彩を参考にそのブロックのあるべき位置を推理しながら組み立てていくことができるとともに、組立後は完成体ごとに異なって現れる模様および／または色彩を楽しむことができる。
【００２６】
また、上記第１の立体パズルにおいて、組み立て可能な平行六面体の６面全ての表面に、それぞれ１つのまとまった模様が現われるように複数のブロックの各表面の少なくとも一部に模様を施した場合には、利用者は、各ブロックの表面に施されている模様を参考にそのブロックのあるべき位置を推理しながら組み立てていくことができ、完成後は組み立てられた平行六面体の各表面にそれぞれ１つのまとまった模様が完成することで達成感を得ることができる。
【００２７】
また、上記第１の立体パズルにおいて、組み立て可能な全ての平行六面体を互に相似形にすること、すなわち１つの平行六面体を組み立て可能な複数のブロックをそのまま全て使ってその平行六面体に相似形の複数のより小さな平行六面体を組み立て可能にすることで、利用者に驚きや不思議さを感じさせることができる。
【００２８】
また、上記第１の立体パズルにおいて、組み立て可能な全ての平行六面体を正六面体にすること、すなわち１つの正六面体を組み立て可能な複数のブロックをそのまま全て使って複数のより小さな正六面体を組み立て可能にすることで、利用者により一層の驚きや不思議さを感じさせることができる。
【００２９】
なお、この組み立て可能な全ての平行六面体を正六面体にした場合において、各ブロックの体積をそれぞれ第１の平行六面体の体積の０.２％以上とし、複数のブロックの各面の面積をそれぞれ第１の平行六面体の一面の面積の０.５％以上とした場合には、１つのブロックがパズルゲームを楽しむ上で小さくなりすぎることがなく、ブロックの各面に意味のある絵が現われるようにすることができる。
【００３０】
また、本発明のケースによれば、上記第１の立体パズルを収容するためのケースとして、上記第１の立体パズルにおいて組み立て可能な全ての平行六面体が正六面体である場合において、組み立て可能な少なくとも１つの平行六面体のそれぞれに対応して、その平行六面体ごとに２つのケース部材からなるケースセットを有し、各ケースセットを構成する２つのケース部材がそれぞれ対応する平行六面体における互いに隣接する３面を覆うように互いに直交して連接するように構成された３つの透明な４角形の壁体を有し、２つのケース部品を組み合わせることにより、内部に前記対応する平行六面体を収容し得る空間を形成するようにしているので、利用者は、２つのケース部材を１つまたは２つの壁体が重なるように組み合わせて、１面または２面が開放された立方体状の箱を作成し、その開放されたところからアクセスして箱の中にブロックを組み立てていくことができる。このとき、２つのケース部材の重ね合う壁体の組み合わせを適宜変えることにより箱の開放させる面を変更させながらブロックを組み立てていくことで、全てのブロックを箱の中の所望の場所に容易に配置することができる。また、パズル完成後は、２つのケース部材を向かい合わせに組み合わせることで対応する平行六面体を収容し得る全面が閉鎖した立方体の箱を作成し、その内部に完成した平行六面体を収納しておくことができる。
【００３１】
本発明の第２の立体パズルは、立体パズルを構成する複数のブロックを全て使って、第１の平行六面体と、第２の平行六面体が分断されてなる複数個の平行六面体と、第３の平行六面体が分断されてなる複数個の平行六面体とを選択的に組み立てること、すなわち３つの異なる完成体を選択的に組み立て可能にすることで、利用者に、複数のブロックをばらばらにした状態から少なくとも２つの異なる完成体のうちの１つを組み立てたり、一旦組み立てたものを他の完成体に組み替えたりする楽しみを与えることができる。
【００３２】
上記第２の立体パズルにおいて、第２の平行六面体と第３の平行六面体が、互いに異なる数の平行六面体に分断されたものである場合には、互に異なる数の平行六面体からなる３つの異なる完成体を選択的に組み立て可能にすることで、利用者に与える楽しみを一層増大させることができる。
【図面の簡単な説明】
【００３３】
【図１】平行六面体の等積変形の一例を示す図
【図２】平行六面体の等積変形の一例を示す図
【図３】平行六面体の等積変形の一例を示す図
【図４】変形対象の平行六面体と目的の平行六面体を示す図
【図５】図４の変形を行うための第１回目の切断および組み替えの処理を示す図
【図６】図４の変形を行うための第２回目の切断および組み替えの処理を示す図
【図７】図４の変形を行うための第３回目の切断および組み替えの処理を示す図
【図８】本発明の立体パズルの一例を示す図
【図９】本発明の一実施形態の立体パズルを構成する１２個のブロックを示す写真
【図１０】図１の複数のブロックを全て使って組み立て可能な１つの立方体を示す写真
【図１１】図１の複数のブロックを全て使って組み立て可能な２つの立方体を示す写真
【図１２】図１０の立方体５０をその第１の面に直交する方向から見た写真
【図１３】図１０の立方体５０をその第２の面に直交する方向から見た写真
【図１４】図１０の立方体５０をその第３の面に直交する方向から見た写真
【図１５】図１０の立方体５０をその第４の面に直交する方向から見た写真
【図１６】図１０の立方体５０をその第５の面に直交する方向から見た写真
【図１７】図１０の立方体５０をその第６の面に直交する方向から見た写真
【図１８】図１１の立方体６０１をその第１の面に直交する方向から見た写真
【図１９】図１１の立方体６０１をその第２の面に直交する方向から見た写真
【図２０】図１１の立方体６０１をその第３の面に直交する方向から見た写真
【図２１】図１１の立方体６０１をその第４の面に直交する方向から見た写真
【図２２】図１１の立方体６０１をその第５の面に直交する方向から見た写真
【図２３】図１１の立方体６０１をその第６の面に直交する方向から見た写真
【図２４】図１１の立方体６０２をその第１の面に直交する方向から見た写真
【図２５】図１１の立方体６０２をその第２の面に直交する方向から見た写真
【図２６】図１１の立方体６０２をその第３の面に直交する方向から見た写真
【図２７】図１１の立方体６０２をその第４の面に直交する方向から見た写真
【図２８】図１１の立方体６０２をその第５の面に直交する方向から見た写真
【図２９】図１１の立方体６０２をその第６の面に直交する方向から見た写真
【図３０】立方体６０１、６０２を立方体５０に変形する処理の概要を示す図
【図３１】図３０の変形を行うための第１回目の切断および組み替えの処理を示す図
【図３２】図３０の変形を行うための第２回目の切断および組み替えの処理を示す図
【図３３】図３０の変形を行うための第３回目の切断および組み替えの処理を示す図
【図３４】ケース部材の構成を示す図
【図３５】２つのケース部材を１つの壁体が重なるように組み合わせた状態の例を示す図
【図３６】２つのケース部材を２つの壁体が重なるように組み合わせた状態の例を示す図
【図３７】２つのケース部材を向かい合わせに組み合わせた状態を示す図
【発明を実施するための形態】
【００３４】
以下、本発明の一実施形態となるパズルセットについて説明する。本実施形態のパズルセットは、立体パズルＰとそれを収容するためのケースＣから構成される。立体パズルＰは、図９に示すような１２個のブロックｂ１〜ｂ１２から構成され、これらのブロックｂ１〜ｂ１２を全て使って、図１０に示すような１つの立方体（正六面体）５０と図１１に示すような２つのより小さい立方体６０１、６０２とを選択的に組み立てることができる。ここで、図１２〜図１７に立方体５０をその立方体の各表面に直交する方向のそれぞれから見た写真を示し、図１８〜図２３に立方体６０１をその立方体の各表面に直交する方向のそれぞれから見た写真を示し、図２４〜図２９に立方体６０２をその立方体の各表面に直交する方向のそれぞれから見た写真を示す。
【００３５】
ブロックｂ１〜ｂ１２の各面は立方体５０、６０１または６０２のいずれかの表面を構成し、その面が構成する立方体５０、６０１または６０２上の表面領域に対応する絵が施されている。特に本実施形態の立体パズルＰでは、立方体５０、６０１および６０２の各表面に対応して、鳥がいる情景の写真、森の写真、および海の写真を６枚ずつ用意し、ブロックｂ１〜ｂ１２の各面にその面が構成する立方体５０、６０１または６０２上の表面領域に対応する写真の一部を貼付することにより、立方体５０の各表面には、図１２〜図１７に示すように鳥がいる情景の絵が現れ、立方体６０１の各表面には、図１８〜図２３に示すように森の絵が現れ、立方体６０２の各表面には、図２４〜図２９に示すように海の絵が現れるようにしている。
【００３６】
また、図３０に示すように、２つの立方体６０１、６０２を縦に連結して形成される１つの直方体６０と立方体５０は、そのいずれの平行六面体の表面も他の平行六面体の内部に隠れるように互いに等積変形してなるものである。具体的には、直方体６０は、図３１〜図３３に示すような、計３回の切断および組み替えの処理を行うことによって立方体５０に等積変形される。なお、ブロックｂ１〜ｂ１２は、２つの立方体６０１、６０２のブロック材料を用意し、そのブロック材料を、図３１〜図３３に示すように立方体５０に変形していく過程で必要な切断を行っていくことによって作成することができる。なお、ブロックの材料としてはプラスチック、木材、金属などを選択でき、特に限定されるものではない。
【００３７】
まず、図３１に示す第１回目の切断および組み替えの処理において、１つの平面であって、その平面により直方体６０を切断した場合その切断された面Ｓ７１の面積が立方体５０の一面の面積r２と同じとなるような平面である切断平面７１を決定し、その切断平面７１により直方体６０を複数の部分６１ａ、６１ｂに切断し、それらの部分６１ａ、６１ｂを図３１の右図に示すように組み替えることによって、直方体６０を平行六面体８１に変形させる。このとき、直方体６０の対向する１組の表面Ｍ４１は変形後の平行六面体８１の内部に隠れ、残り２組の表面はＭ５１、Ｍ６１はそれぞれ同じ面積の別の形の平行四辺形に変形して、変形後の平行六面体８１おいても引き続き表面を構成することとなる。
【００３８】
次に、図３２示す第２回目の切断および組み替えの処理において、１つの平面であって、その平面により平行六面体８１を切断した場合その切断された面Ｓ７２の面積が立方体５０の一面の面積r２と同じとなり、かつ、その平面と平行六面体８１の上記第１回目の処理の切断面により構成された１つの面Ｍ４２との交線Ｌ６１の長さが立方体５０の一辺の長さｒと同じとなるような平面である切断平面７２を決定し、切断平面７２により平行六面体８１を複数の部分６２ａ、６２ｂに切断し、それらの部分６２ａ、６２ｂを図３２の右図に示すように組み替えることによって、平行六面体８１を平行六面体８２に変形させる。このとき、直方体６０の対向する１組の表面Ｍ５１が変形して構成された、平行六面体８１の対向する１組の表面Ｍ５２は、変形後の平行六面体８２の内部に隠れることとなる。
【００３９】
最後に、図３３示す第３回目の切断および組み替えの処理において、１つの平面であって、その平面と平行六面体８２の上記第１回目の処理における切断面により構成された１つの面Ｍ４３との交線Ｌ６２の総長さが立方体５０の一辺の長さｒと同じとなり、かつ、その平面と平行六面体８２の上記第２回目の処理の切断面により構成された１つの面Ｍ４３との交線Ｌ６３の長さが立方体５０の一辺の長さｒと同じとなるような平面である切断平面７３を決定し、その切断平面７３により平行六面体８２を複数の部分６３ａ、６３ｂに切断し、それらの部分６３ａ、６３ｂを図３３の右図に示すように組み替えることによって、平行六面体８２を最終目的の立方体５０に変形させる。このとき、直方体６０の対向する１組の表面Ｍ６１が変形して構成された、平行六面体８２の対向する１組の表面Ｍ６３は、変形後の立方体５０の内部に隠れることとなる。
【００４０】
なお、直方体６０を立方体５０に等積変形する際に、上述のような計３回の切断処理において選択可能な切断平面の組合せは無数に存在し、その切断平面の組合せは、切断平面Ｐ１の位置と傾き、切断平面Ｐ２の位置、切断平面Ｐ３の位置の４つのパラメータにより規定することができる。本実施形態では、この４つのパラメータを調整して、ブロックｂ１〜ｂ１２の体積がそれぞれ立方体５０の体積ｒ３の０.２％以上となり、かつ、ブロックｂ１〜ｂ１２の各面の面積がそれぞれ立方体５０の一面の面積ｒ２の０.５％以上となるような切断平面の組合せを採用することで、１つのブロックがパズルゲームを楽しむ上で小さくなりすぎることがなく、ブロックの各面に意味のある絵が現われるようにしている。
【００４１】
具体的には、ブロックｂ１〜ｂ１２の体積が、大きい方から順に、立方体５０の体積ｒ３の29.5％、29.2％、8.55％、7.02％、6.74％、5.09％、4.96％、2.14％、2.11％、2.03％、2.00％、0.673％となるようにした。また、ブロックｂ１〜ｂ１２の各面の面積は、大きい方から順に、立方体５０の一面の面積r２の57.7692796％、57.7692796％、49.1773546％、44.3331323％、39.7507845％、39.2647573％、37.9725621％、36.436423％、36.4155066％、35.9029204％、34.9668116％、34.0905586％、33.8731454％、33.8731454％、31.2225204％、30.8683922％、30.7642222％、30.3359815％、29.4181013％、27.4679433％、26.9472297％、26.9472297％、21.919704％、21.919704％、20.8174％、20.8174％、20.6526095％、19.4271414％、18.8468461％、18.3444185％、18.0600916％、17.5050705％、17.0484393％、16.6812631％、15.9316169％、14.7420037％、14.7420037％、14.3156524％、14.2684616％、13.6640314％、13.1684226％、13.1116217％、12.9738769％、12.956095％、11.9480589％、11.3154252％、11.3154252％、10.783074％、10.5818094％、10.5818094％、10.0056133％、10.0056133％、9.1082308％、8.6815913％、7.5679122％、7.5679122％、7.3726242％、6.7383839％、5.2267729％、5.2267729％、5.2258095％、5.2258095％、4.4199362％、4.194949％、3.898092％、2.4517862％、1.9636301％、1.9380823％、1.5193595％、1.4002329％、1.2294754％、0.9772828％となるようにした。
【００４２】
立体パズルＰ収容するためのケースＣは、立方体５０、６０１および６０２のそれぞれに対応して、その立方体ごとに２つのケース部材Ｃｉ、Ｃｉからなるケースセットを備える。各ケース部材Ｃｉは、図３４に示すように、対応する立方体における互いに隣接する３面を覆うように互いに直交して連接するように構成された３つの透明な４角形の壁体ｗ１〜ｗ３を有する。これにより、２つのケース部材Ｃｉ、Ｃｉを、図３５および図３６に示すように、１つまたは２つの壁体が重なるように組み合わせて、１面または２面が開放された立方体状の箱を作成し、その開放されたところからアクセスして箱の中にブロックを組み立てていくことができる。このとき、２つのケース部材の重ね合う壁体の組み合わせを適宜変えることにより箱の開放させる面を変更させながらブロックを組み立てていくことで、全てのブロックを箱の中の所望の場所に容易に配置することができる。また、パズル完成後は、２つのケース部品を図３７に示すように向かい合わせに組み合わせることで、内部に対応する立方体を収容し得る全面が閉鎖した立方体の箱を作成し、その内部に完成した平行六面体を収納しておくことができる。
【００４３】
以上の述べた通り、本実施形態のパズルセットによれば、立体パズルＰを構成するブロックｂ１〜ｂ１２を全て使って、２つの異なる完成体、具体的には１つの立方体５０と２つのより小さい立方体６０１、６０２とを選択的に組み立てることができ、利用者に、複数のブロックをばらばらにした状態から２つの異なる完成体のうちの１つを組み立てたり、一旦組み立てたものを他の完成体に組み替えたりする楽しみを与えることができる。また、立方体５０、６０１および６０２のそれぞれに対応したケースセットを備えているので、利用者は、ケースセットを利用して各対応する立方体を組み立てたり、完成した立方体をケースセットに収納したりすることができる。
【００４４】
なお、本実施形態では、複数のブロックを全て使って１つの立方体と２つの立方体とを選択的に組み立て可能な立体パズルについて説明したが、（１）１つの立方体と、２つ以上の立方体ではない平行六面体（または１つ以上の立方体と１つ以上の立方体ではない平行六面体）、（２）立方体以外の１つ平行六面体と、２つ以上の立方体、（３）立方体ではない１つ平行六面体と、２つ以上の立方体ではない平行六面体（または１つ以上の立方体と１つ以上の立方体ではない平行六面体）、のいずれかを選択的に組立可能なものであってもよい。
【００４５】
また、本実施形態では、２つの異なる完成体を選択的に組み立て可能な立体パズルについて説明したが、３つまたは４つ以上の異なる完成体を選択的に組み立て可能な立体パズルを作成することもできる。また、各完成体を構成する平行六面体の数を任意に設定することができる。全ての完成体が互に異なる数の平行六面体からなるようにしてもよいし、一部同数の平行六面体からなる完成体を含むようにしてもよい。なお、平行六面体をその全ての表面が内部に隠れてなるように変形可能な同じ体積の別の形の平行六面体は無数に存在し、また、同じ形の平行六面体に変形させる場合においてもその変形の過程で選択可能な切断平面の組合せは無数に存在することから、本発明を適用して作成可能な立体パズルのバリエーションは無限にあると言える。
【００４６】
また、本実施形態では、組み立て可能な全ての平行六面体のそれぞれについてケースセットを設けている場合について説明したが、このケースＣは必ずしも必要ではなく、必要に応じて設けるとよい。組み立て可能な全ての平行六面体のうち一部の少なくとも１つの平行六面体についてのみケースセットを設けるようにしてもよい。
【符号の説明】
【００４７】
１０，３１〜３３，４０，８１，８２，４０１,４０２    平行六面体
２１〜２６、７１〜７３    切断平面
５０，６０１，６０２    立方体
６０    直方体
Ｐ    立体パズル
ｂ１〜ｂ１２    ブロック
Ｃｉ    ケース部材
ｗ１〜ｗ３    壁体
Ｌ３１〜Ｌ３３、Ｌ６１〜Ｌ６３    交線
【図１】
2014198073.tif 000003
【図２】
2014198073.tif 000004
【図３】
2014198073.tif 000005
【図４】
2014198073.tif 000006
【図５】
2014198073.tif 000007
【図６】
2014198073.tif 000008
【図７】
2014198073.tif 000009
【図８】
2014198073.tif 000010
【図３０】
2014198073.tif 000011
【図３１】
2014198073.tif 000012
【図３２】
2014198073.tif 000013
【図３３】
2014198073.tif 000014
【図３４】
2014198073.tif 000015
【図３５】
2014198073.tif 000016
【図３６】
2014198073.tif 000017
【図３７】
2014198073.tif 000018
【図９】
2014198073.tif 000019
【図１０】
2014198073.tif 000020
【図１１】
2014198073.tif 000021
【図１２】
2014198073.tif 000022
【図１３】
2014198073.tif 000023
【図１４】
2014198073.tif 000024
【図１５】
2014198073.tif 000025
【図１６】
2014198073.tif 000026
【図１７】
2014198073.tif 000027
【図１８】
2014198073.tif 000028
【図１９】
2014198073.tif 000029
【図２０】
2014198073.tif 000030
【図２１】
2014198073.tif 000031
【図２２】
2014198073.tif 000032
【図２３】
2014198073.tif 000033
【図２４】
2014198073.tif 000034
【図２５】
2014198073.tif 000035
【図２６】
2014198073.tif 000036
【図２７】
2014198073.tif 000037
【図２８】
2014198073.tif 000038
【図２９】
2014198073.tif 000039